(57)【要約】【課題】鍵の長さをグランドピアノのそれに比べて短く構成しながら、グランドピアノの鍵盤と同様の鍵動作を長期間にわたり安定して得ることができるとともに、奥行き寸法をコンパクトに構成することができる鍵盤装置を提供する。【解決手段】複数の鍵３をそれぞれ下方から支持し、鍵３の前端部が押し下げられたときに、鍵３の後端部の下方への移動量が、鍵３の前端部の下方への移動量に対して約１／２になるよう、鍵３を動作させるように構成された複数のリンク機構４を備えている。リンク機構４は、後端部が前側支持部８に回動自在に連結されるとともに、前端部が鍵３の前部の所定位置に回動自在に連結された前側リンクバー６と、この前側リンクバー６よりも短く構成され、後端部が後側支持部９に回動自在に連結されるとともに、前端部が鍵３の後部の所定位置に回動自在に連結された後側リンクバー７と、を有している。【選択図】図１
2019056781.tif 000002
【特許請求の範囲】
【請求項１】
ベースと、
このベースの上方に、各々が前後方向に所定長さ延び、互いに左右方向に並んだ状態に配置された複数の鍵と、
前記ベース上に、対応する前記鍵をそれぞれ下方から支持するように設けられ、前記鍵の前端部が押し下げられたときに、当該鍵の後端部の下方への移動量が、当該鍵の前端部の下方への移動量に対して約１／２になるよう、当該鍵を動作させるように構成された複数のリンク機構と、
を備え、
前記リンク機構は、
前記ベース上に互いに前後方向に所定間隔を隔てて設けられた前側支持部及び後側支持部と、
前記前側支持部から対応する前記鍵の前部の所定位置に向かって前方に所定長さ延び、後端部が前記前側支持部に回動自在に連結されるとともに、前端部が前記鍵の前部の前記所定位置に回動自在に連結された前側リンクバーと、
この前側リンクバーよりも短く構成され、前記後側支持部から対応する前記鍵の後部の所定位置に向かって前方に所定長さ延び、後端部が前記後側支持部に回動自在に連結されるとともに、前端部が前記鍵の後部の前記所定位置に回動自在に連結された後側リンクバーと、
を有していることを特徴とする鍵盤装置。
【請求項２】
押し下げられた前記鍵を上方に付勢することにより、当該鍵を離鍵状態に復帰させる復帰手段を、さらに備えていることを特徴とする請求項１に記載の鍵盤装置。
【請求項３】
前記復帰手段は、
前記ベース上に、前記複数の鍵ごとに設けられ、上方に付勢力を付与するための複数の付勢力付与部と、
前記複数の鍵の各々に設けられ、対応する前記付勢力付与部に上方から当接する当接部と、
を有していることを特徴とする請求項２に記載の鍵盤装置。
【請求項４】
前記付勢力付与部は、
前後方向に所定長さ延びる板ばねと、
前記ベース上に設けられ、前記板ばねの一端部を不動に支持する板ばね支持部と、
を有し、
前記当接部は、前記板ばねの他端部に上方から当接するように配置されていることを特徴とする請求項３に記載の鍵盤装置。
【発明の詳細な説明】
【技術分野】
【０００１】
本発明は、電子鍵盤楽器などに適用され、比較的短い長さの鍵を用いてアコースティックのグランドピアノと同様の鍵動作を実現する鍵盤装置に関する。
【背景技術】
【０００２】
一般に、アコースティックのグランドピアノの鍵盤装置では、鍵は、比較的長く（例えば５０〜６０ｃｍ）構成されていて、その長さ方向の中央付近に設けられたバランスピンを支点として揺動するようになっている。このような長い鍵を有する鍵盤装置を電子ピアノなどに適用すると、その奥行き寸法が大きくなってしまう。このため、鍵の長さを短く構成した鍵盤装置として、従来、例えば特許文献１に開示されたものが知られている。
【０００３】
この鍵盤装置は、所定形状のフレームと、このフレームの後端部に設けられた基端部と、この基端部の前方に、各々が前後方向に延び、左右方向に並んだ状態で配置された複数の鍵と、各鍵と上記基端部との間に設けられたリンク部などで構成されている。また、フレーム上には電子基板が設けられ、その電子基板上に、複数の鍵スイッチが鍵ごとに配置されている。各鍵は、その長さ方向の中央付近において、対応する鍵スイッチに載置されている。
【０００４】
各鍵の後端と基端部の前面との間のリンク部は、鍵及び基端部と一体に樹脂で成形されている。具体的には、リンク部は、各々が前後方向に延び、互いに左右に配置された２つのアームで構成されている。各アームは、所定の厚みを有する板状に形成されており、鍵に連なる前側の連結部、及び基端部に連なる後側の連結部が、下方に開放する半円型の凹部によって肉薄に形成されている。
【０００５】
以上のように構成された鍵盤装置において、鍵の前端部が押し下げられると、その鍵は、リンク部における両アームの後側の連結部を中心として、下方に回動する。またこの場合、両アームにおける前後の連結部がヒンジとして機能することにより、鍵は、その後端部を支点として回動する場合に比べて、後部の所定位置における下方への移動量が大きくなり、鍵の前端の下方への移動量との差が小さくなる。その結果、上記のリンク部を介して支持された鍵は、その後方に位置するように想定される仮想の回動支点を中心として回動するように動作し、鍵の長さがグランドピアノのそれに比べて短いものであっても、グランドピアノの鍵の動作に近似した鍵盤を得ることが可能になる。
【先行技術文献】
【特許文献】
【０００６】
【特許文献１】特開２０１０−２８６６９４号公報
【発明の概要】
【発明が解決しようとする課題】
【０００７】
しかし、上述した従来の鍵盤装置では、各鍵は、その後端がリンク部による片持ちの状態で支持され、しかも、リンク部の各アームが樹脂で構成されているため、押鍵時の鍵の動作が不安定になりやすい。また、鍵盤装置の長期間の使用などにより、リンク部の各アームに経年変化による変形が生じやすく、特に、各アームの前後の連結部が薄肉に形成されているため、亀裂や破断が生じるおそれがある。このような場合には、鍵の所望の動作が得られなくなってしまう。以上のように、上述した樹脂製のリンク部によって鍵の後端を支持する鍵盤装置では、グランドピアノの鍵と同様の動作を、長期間にわたり安定して得ることができない。
【０００８】
本発明は、以上のような課題を解決するためになされたものであり、鍵の長さをグランドピアノのそれに比べて短く構成しながら、グランドピアノの鍵盤と同様の鍵動作を長期間にわたり安定して得ることができるとともに、奥行き寸法をコンパクトに構成することができる鍵盤装置を提供することを目的とする。
【課題を解決するための手段】
【０００９】
上記の目的を達成するために、請求項１に係る発明は、ベースと、このベースの上方に、各々が前後方向に所定長さ延び、互いに左右方向に並んだ状態に配置された複数の鍵と、ベース上に、対応する鍵をそれぞれ下方から支持するように設けられ、鍵の前端部が押し下げられたときに、鍵の後端部の下方への移動量が、鍵の前端部の下方への移動量に対して約１／２になるよう、鍵を動作させるように構成された複数のリンク機構と、を備え、リンク機構は、ベース上に互いに前後方向に所定間隔を隔てて設けられた前側支持部及び後側支持部と、前側支持部から対応する鍵の前部の所定位置に向かって前方に所定長さ延び、後端部が前側支持部に回動自在に連結されるとともに、前端部が鍵の前部の所定位置に回動自在に連結された前側リンクバーと、この前側リンクバーよりも短く構成され、後側支持部から対応する鍵の後部の所定位置に向かって前方に所定長さ延び、後端部が後側支持部に回動自在に連結されるとともに、前端部が鍵の後部の所定位置に回動自在に連結された後側リンクバーと、を有していることを特徴とする。
【００１０】
この構成によれば、ベースの上方に、各々が前後方向に所定長さ延びる複数の鍵が、互いに左右方向に配置されている。また、ベース上には、対応する鍵を下方から支持する複数のリンク機構が設けられている。これにより、鍵の後端が片持ちの状態で支持された従来の鍵盤装置と異なり、押鍵時の鍵を安定して支持し、鍵の安定した動作を確保することができる。また、上記のリンク機構は、対応する鍵の前端部が押し下げられたときに、当該鍵の後端部の下方への移動量が、前端部の下方への移動量に対して約１／２になるように構成されている。
【００１１】
前述したように、一般的なグランドピアノの鍵盤装置の鍵は、比較的長く（例えば５０〜６０ｃｍ）構成されていて、その長さ方向の中央付近に設けられたバランスピンを支点として揺動するようになっている。また、その鍵盤装置において、外部に露出し、演奏者側から見える部分は、鍵のバランスピンよりも前側部分のうちの半分程度である。このため、グランドピアノの鍵盤装置において、例えば、押鍵時に、その鍵が押し切られることで、鍵の前端部が約１０ｍｍ押し下げられると、鍵の露出している部分の後端部が約５ｍｍ、下方に移動する。すなわち、押鍵時における鍵の露出部分の後端部における下方への移動量は、鍵の前端部のそれに対して約１／２となる。
【００１２】
したがって、本発明の各鍵が、グランドピアノの鍵の外部に露出する部分と同程度の長さで、比較的短く構成されていても、対応するリンク機構によって、押鍵時における鍵の後端部の下方への移動量が、鍵の前端部の下方への移動量に対して約１／２となるので、押鍵時に、グランドピアノの鍵と同様の鍵動作を実現することができる。
【００１３】
また、各鍵を支持するリンク機構は、上記構成の前側リンクバー及び後側リンクバーを有している。具体的には、両リンクバーの後端部がそれぞれ、ベース上の前側支持部及び後側支持部に回動自在に連結されている。また、前側リンクバーは、前側支持部から対応する鍵の前部の所定位置に向かって前方に延び、前端部が鍵の前部に回動自在に連結されている。一方、後側リンクバーは、前側リンクバーよりも短く構成され、後側支持部から対応する鍵の後部の所定位置に向かって前方に延び、前端部が鍵の後部に回動自在に連結されている。このように構成されたリンク機構の前側リンクバー及び後側リンクバーによって、鍵の前部及び後部が下方から支持されることにより、押鍵時に、鍵の前端部が押し下げられると、それに連動して、鍵の後端部が、鍵の前端部に対して一定の関係を保ちながら、下方に移動する。
【００１４】
以上のように、本発明によれば、鍵の長さをグランドピアノのそれに比べて短く構成しながら、グランドピアノの鍵盤と同様の鍵動作を長期間にわたり安定して得ることができ、また、鍵の長さが短く構成されることにより、鍵盤装置やそれを適用する鍵盤楽器の奥行き寸法をコンパクトに構成することができる。
【００１５】
請求項２に係る発明は、請求項１に記載の鍵盤装置において、押し下げられた鍵を上方に付勢することにより、鍵を離鍵状態に復帰させる復帰手段を、さらに備えていることを特徴とする。
【００１６】
この構成によれば、押し下げられた鍵が、復帰手段によって、上方に付勢されるので、その鍵を離鍵状態に安定してかつ確実に復帰させることができる。
【００１７】
請求項３に係る発明は、請求項２に記載の鍵盤装置において、復帰手段は、ベース上に、複数の鍵ごとに設けられ、上方に付勢力を付与するための複数の付勢力付与部と、複数の鍵の各々に設けられ、対応する付勢力付与部に上方から当接する当接部と、を有していることを特徴とする。
【００１８】
この構成によれば、ベース上に、複数の付勢力付与部が複数の鍵ごとに設けられており、鍵に設けられた当接部が、対応する付勢力付与部に上方から当接している。この状態において、鍵が押し下げられると、その鍵の当接部を介して、対応する付勢力付与部が上方から押圧され、その付勢力付与部の反力としての上方への付勢力が、鍵に作用する。これにより、押し下げられた鍵は、その押下げが解除されると、付勢力付与部による付勢力によって上方に付勢され、離鍵状態に復帰する。
【００１９】
請求項４に係る発明は、請求項３に記載の鍵盤装置において、付勢力付与部は、前後方向に所定長さ延びる板ばねと、ベース上に設けられ、板ばねの一端部を不動に支持する板ばね支持部と、を有し、当接部は、板ばねの他端部に上方から当接するように配置されていることを特徴とする。
【００２０】
この構成によれば、付勢力付与部が、前後方向に所定長さ延びる板ばねを有しており、この板ばねの一端部がベース上の板ばね支持部に不動に支持されるとともに、板ばねの他端部に、対応する鍵の当接部が上方から当接する。この状態において、鍵が押し下げられると、その鍵の当接部を介して、対応する板ばねの他端部が上方から押圧されて撓み、その反力としての付勢力が、鍵に作用する。このように、上記のような板ばねを用いて、付勢力付与部を容易に構成することができる。
【図面の簡単な説明】
【００２１】
【図１】本発明の一実施形態による鍵盤装置を説明するための図であり、（ａ）は離鍵状態における鍵盤装置の側面図、（ｂ）は鍵及びリンク機構を分解して示す側面図である。
【図２】鍵盤装置の鍵の動作を示す側面図であり、（ａ）は離鍵状態、（ｂ）は押鍵状態を示している。
【図３】復帰ばねの変形例を適用した鍵盤装置を説明するための図であり、（ａ）は離鍵状態における鍵盤装置の側面図、（ｂ）は鍵及びリンク機構を分解して示す側面図である。
【図４】図３の鍵盤装置の鍵の動作を示す側面図であり、（ａ）は離鍵状態、（ｂ）は押鍵状態を示している。
【発明を実施するための形態】
【００２２】
以下、図面を参照しながら、本発明の好ましい実施形態を詳細に説明する。図１は、本発明の一実施形態による鍵盤装置の側面図であり、（ａ）は離鍵状態、（ｂ）は鍵及びリンク機構を分解した状態を示している。この鍵盤装置１Ａは、電子ピアノなどの電子鍵盤楽器に適用されるものである。
【００２３】
鍵盤装置１Ａは、水平に配置された板状のベース２と、このベース２の上方に、各々が前後方向（図１（ａ）の左右方向）に延び、互いに左右方向（図１（ａ）の奥行き方向）に並んだ状態に配置された複数の鍵３（図１では１つの白鍵のみ図示）と、ベース２上に、対応する鍵３をそれぞれ下方から支持するように設けられた複数組のリンク機構４（図１では１組のみ図示）と、ベース２と各鍵３の前端部との間にそれぞれ設けられ、押鍵された鍵３を離鍵状態に復帰させるための複数の復帰ばね５（復帰手段、図１では１つのみ図示）などを備えている。
【００２４】
鍵３は、合成樹脂などの成形品から成り、前後方向に所定長さを有している。例えば、鍵３は、一般的なグランドピアノの鍵の前端から、その鍵が揺動する際の支点となるバランスピンまでの長さに対し、その半分程度の長さ（例えば１５ｃｍ）を有している。また、鍵３は、上壁３ａ、左右の側壁３ｂ、３ｂ及び前壁３ｃで構成され、下方及び後方（図１の左方）に開放する中空状に形成されている。
【００２５】
各組のリンク機構４は、鍵３の前部の所定位置に前端部が連結された前側リンクバー６と、鍵３の後部の所定位置に前端部が連結された後側リンクバー７と、ベース２上に固定され、前側リンクバー６及び後側リンクバー７の後端部をそれぞれ回動自在に支持する前側支持部８及び後側支持部９とを有している。
【００２６】
図１（ａ）及び（ｂ）に示すように、前側リンクバー６及び後側リンクバー７は、いずれも細長い金属プレートによって所定形状に形成されている。具体的には、前側リンクバー６は、その後端部が支持された前側支持部８から鍵３の前部の所定位置に向かって斜め上前方（図１の右方）に所定長さ延びている。また、前側リンクバー６の前端部及び後端部にはそれぞれ、ピン孔６ａ及び６ｂが形成されている。
【００２７】
一方、後側リンクバー７は、上記の前側リンクバー６よりも短く構成され、後端部が支持された後側支持部９から鍵３の後部の所定位置に向かって斜め上前方に所定長さ延びている。また、後側リンクバー７の前端部及び後端部にはそれぞれ、ピン孔７ａ及び７ｂが形成されている。
【００２８】
前側支持部８及び後側支持部９は、互いに前後方向に所定間隔を隔てて配置されており、いずれも前側から見たときの上端部の正面形状が、例えばＵ字状に形成され、前側リンクバー６及び後側リンクバー７をそれぞれ、左右両側から挟んだ状態で支持するように構成されている。また、前側支持部８及び後側支持部９の上端部にはそれぞれ、ピン孔８ａ及び９ａが形成されている。
【００２９】
上記のように構成されたリンク機構４では、前側リンクバー６及び後側リンクバー７は、鍵３に以下のように連結されている。なお、鍵３には、その前部の所定位置に、左右の側壁３ｃ、３ｃ間にわたって水平に延びる前側鍵連結ピン１１が固定される一方、後部の所定位置に、左右の側壁３ｃ、３ｃ間にわたって水平に延びる後側鍵連結ピン１２が固定されている。
【００３０】
前側リンクバー６は、その前端部がピン孔６ａを介して、鍵３の前側鍵連結ピン１１に挿通され、これにより、鍵３の前部に対し、回動自在に連結されている。一方、後側リンクバー７は、その前端部がピン孔７ａを介して、鍵３の後側鍵連結ピン１２に挿通され、これにより、鍵３の後部に対し、回動自在に連結されている。
【００３１】
また、前側リンクバー６及び後側リンクバー７は、前側支持部８及び後側支持部９にそれぞれ以下のように連結されている。すなわち、前側リンクバー６は、その後端部がピン孔６ｂを介して、前側支持部８のピン孔８ａに固定された前側支持ピン１３に挿通され、これにより、前側支持部８に対し、回動自在に連結されている。一方、後側リンクバー７は、その後端部がピン孔７ｂを介して、後側支持部９のピン孔９ａに固定された後側支持ピン１４に挿通され、これにより、後側支持部９に対し、回動自在に連結されている。
【００３２】
復帰ばね５は、例えば圧縮コイルばねで構成されており、鍵３が離鍵状態から押し下げられたときに、その鍵３を上方に付勢するように設けられている。
【００３３】
なお、以上のように構成された鍵盤装置１Ａが適用される電子鍵盤楽器では、鍵３の下側のリンク機構４及び復帰ばね５は外部から見えないように、外装ケース（図示せず）で覆われている。また、鍵３の後側には、鍵３の上面後端付近から起立し、外装ケースの一部を構成する前パネルＰが設けられている。したがって、この鍵盤装置１Ａでは、鍵３のほぼ全体が外部に露出した状態になっている。
【００３４】
次に、図２を参照して、押鍵時における鍵盤装置１Ａの鍵３の動作について説明する。同図（ａ）及び（ｂ）はそれぞれ、鍵３の前端部を押し下げていないときの離鍵状態、及び鍵３を押し下げたときの押鍵状態を示している。
【００３５】
図２（ａ）の白抜き矢印で示すように、鍵３の前端部が、復帰ばね５の付勢力に抗して、演奏者などにより指で押し下げられると、前側リンクバー６及び後側リンクバー７がそれぞれ、前側支持ピン１３及び後側支持ピン１４を中心として、時計方向に回動する。そして、図２（ｂ）に示すように、鍵３の前端部が最下位まで押し下げられた際には、同図（ａ）の離鍵状態のときに比べて、その前端部は距離Ｆ（例えば１０ｍｍ）分、下方に位置し、後端部は距離Ｆの約１／２である距離Ｒ（例えば５ｍｍ）分、下方に位置する。
【００３６】
また、押し下げられた鍵３から指を離すと、復帰ばね５の付勢力により、鍵３が上方に移動するとともに、前側リンクバー６及び後側リンクバー７がそれぞれ、前側支持ピン１３及び後側支持ピン１４を中心として、反時計方向に回動する。これにより、鍵３は、元の離鍵状態に戻る。なお、図示は省略するが、鍵３は、離鍵状態における位置を超えて上方へ移動するのを阻止するためのストッパを有している。
【００３７】
以上のように、本実施形態によれば、鍵３が、その前部及び後部の２箇所において、リンク機構４によって下方から安定して支持されるので、鍵の後端が片持ちの状態で支持された従来の鍵盤装置と異なり、鍵３の安定した動作を確保することができる。また、リンク機構４は、鍵３の前端部が押し下げられたときに、その後端部の下方への移動量が、前端部の下方への移動量に対して約１／２になるように構成されている。
【００３８】
したがって、鍵３が、グランドピアノの鍵の外部に露出する部分と同程度の長さで、比較的短く構成されていても、対応するリンク機構４によって、押鍵時における鍵３の後端部の下方への移動量が、鍵３の前端部のそれに対して約１／２となるので、押鍵時に、グランドピアノの鍵と同様の鍵動作を実現することができる。以上により、本実施形態では、鍵３の長さをグランドピアノのそれに比べて短く構成しながら、グランドピアノの鍵盤と同様の鍵動作を長期間にわたり安定して得ることができ、また、鍵３の長さが短く構成されることにより、鍵盤装置１Ａやそれを適用する鍵盤楽器の奥行き寸法をコンパクトに構成することができる。
【００３９】
次に、図３及び図４を参照して、前述した鍵盤装置１Ａにおいて、復帰ばね５に代えて、押鍵された鍵３を離鍵状態に復帰させる復帰機構２１（復帰手段）を備えた鍵盤装置１Ｂについて説明する。なお、この鍵盤装置１Ｂでは、復帰機構２１以外の部分は、鍵盤装置１Ａと同じであるので、以下の説明では、復帰機構２１を中心に説明するものとする。
【００４０】
図３に示すように、復帰機構２１は、ベース２上の前側支持部８と後側支持部９の間に複数の鍵３ごとに設けられ、対応する鍵３に上方への付勢力を付与するための複数の付勢力付与部２２（図３では１つのみ図示）と、鍵３の後部の所定位置に下方に突出するように設けられ、付勢力付与部２２に上方から当接する当接部２３とを備えている。
【００４１】
付勢力付与部２２は、後側支持部９の直ぐ前に設けられた板ばね支持部２５と、この板ばね支持部２５に後端部が不動に支持され、前後方向に所定長さ延びる板ばね２６とを有している。板ばね２６は、所定の金属から成り、平面形状が矩形状で、幅方向（図３の表裏方向）に下方に凸状で緩やかに湾曲するアールが付いた薄板で構成されている。また、この板ばね２６は、上方からの押圧によって、所定の変位を超えると、上記アールが付いた構成により、例えばコンベックス（鋼製巻き尺）のように、一時的に折れ曲がって変形するようになっている。これにより、押鍵時に、鍵３が所定位置まで押し下げられると、板ばね２６の付勢力が急激に低下し、それに伴い、鍵３を押し下げる際の荷重も急激に軽くなる。この場合には、グランドピアノの鍵を押鍵する際に演奏者が指先に感じるいわゆるレットオフ感に近似したタッチ感を得ることができる。
【００４２】
一方、鍵３の当接部２３は、鍵３の内部において、後側鍵連結ピン１２から垂下した状態に設けられたブロック状のねじ取付部２７と、このねじ取付部２７に下方から進退自在にねじ込まれ、下端部の頭部２８ａが板ばね２６の前端部に上方から当接する調整ねじ２８とを有している。調整ねじ２８は、ねじ取付部２７へのねじ込み量に応じて、離鍵状態における頭部２８の高さが変えられるようになっている。この場合、頭部２８の高さが低いほど、板ばね２６が前下がりに湾曲し、その初期変位における撓みが大きくなり、それにより、板ばね２６の付勢力も大きくなる。このことは、板ばね２６の幅方向のアールの曲率を大きくした場合も同様である。したがって、調整ねじ２８のねじ込み量を変えたり、板ばね２６の幅方向のアールの曲率を変えたりすることにより、板ばね２６による付勢力を調整することができ、それに伴い、鍵３を押し下げる際の荷重やその最大荷重を変化させることができる。
【００４３】
図４は、前述した図２と同様、押鍵時における鍵盤装置１Ｂの鍵３の動作を示している。図４（ａ）の白抜き矢印で示すように、鍵３の前端部が押し下げられると、前側リンクバー６及び後側リンクバー７がそれぞれ、前側支持ピン１３及び後側支持ピン１４を中心として時計方向に回動するとともに、鍵３の調整ねじ２８が板ばね２６の前端部を下方に押圧する。これにより、板ばね２６は、前下がりに撓み、前述したように、所定の変位を超えたときには、折れ曲がった状態に変形する。そして、図４（ｂ）に示すように、鍵３の前端部が最下位まで押し下げられた際には、鍵盤装置１Ａと同様、離鍵状態に比べて、鍵３の前端部及び後端部がそれぞれ、距離Ｆ及びＲ分、下方に位置する。
【００４４】
また、鍵３の押下げが解除されると、撓んでいた板ばね２６の復元力により、鍵３には、調整ねじ２８を介して下方から付勢力が作用する。これにより、鍵３は、上方に移動するとともに、前側リンクバー６及び後側リンクバー７がそれぞれ、前側支持ピン１３及び後側支持ピン１４を中心として反時計方向に回動し、元の離鍵状態に戻る。なお、この鍵盤装置１Ｂの鍵３も、鍵盤装置１Ａと同様、図示しないストッパにより、離鍵状態の位置を超える上方への移動が阻止される。
【００４５】
以上のように、この鍵盤装置１Ｂも、前述した鍵盤装置１Ａと同様の効果を得ることができる。また、復帰機構２１における調整ねじ２８の頭部２８ａの高さを調整することにより、離鍵状態において鍵３に下方から作用する付勢力の大きさを調整することができる。それにより、鍵３を押し下げる際の重さであるタッチ感を調整することができる。
【００４６】
なお、本発明は、説明した上記実施形態に限定されることなく、種々の態様で実施することができる。例えば、鍵盤装置１Ａ及び１Ｂにおいて、鍵３を支持するものとして、いずれも斜め上前方に向かって延びるように配置された前側リンクバー６及び後側リンクバー７を備えたリンク機構４を例示したが、押鍵時における鍵３が、グランドピアノの鍵と同様の鍵動作を得られるものであれば、種々のリンク機構を採用することができる。なお、リンク機構４において、前側リンクバー６と後側リンクバー７を、他のリンクバーによって連結することも可能である。
【００４７】
また、鍵３の材料として合成樹脂を例示したが、鍵はこれに限定されるものではなく、その他の種々の材料（例えば複合素材）で構成することも可能である。また、前側リンクバー６及び後側リンクバー７の材料として金属を例示したが、リンクバーはこれに限定されるものではなく、その他の種々の材料（例えばカーボンファイバー樹脂）で構成することも可能である。
【００４８】
また、鍵盤装置１Ｂの復帰機構２１において、付勢力付与部２２として金属製の板ばね２６を採用したが、本発明はこれに限定されるものではなく、板ばね２６を他の材料で構成したり、さらには、板ばね２６に代えて、例えば、上下方向に延びる圧縮コイルばねや、ゴム製の弾性ブロックを、ベース２と調整ねじ２８の間に設置することも可能である。また、鍵盤装置１Ａの復帰ばね５と鍵盤装置１Ｂの復帰機構２１を併用することも可能である。
【００４９】
また、実施形態では、本発明の鍵盤装置を電子鍵盤楽器に適用した場合について説明したが、本発明はこれに限定されるものではなく、例えば、音を発しない練習用の鍵盤装置に適用することも可能である。その場合には、押鍵情報を検出するためのセンサやスイッチ、電子基板などの機器は不要である。また、実施形態で示した鍵盤装置１Ａ及び１Ｂの細部の構成などは、あくまで例示であり、本発明の趣旨の範囲内で適宜、変更することができる。
【符号の説明】
【００５０】
１Ａ  鍵盤装置
１Ｂ  鍵盤装置
２    ベース
３    鍵
４    リンク機構
５    復帰ばね（復帰手段）
６    前側リンクバー
７    後側リンクバー
８    前側支持部
９    後側支持部
１１    前側鍵連結ピン
１２    後側鍵連結ピン
１３    前側支持ピン
１４    後側支持ピン
２１    復帰機構（復帰手段）
２２    付勢力付与部
２３    当接部
２５    板ばね支持部
２６    板ばね
【図１】
2019056781.tif 000003
【図２】
2019056781.tif 000004
【図３】
2019056781.tif 000005
【図４】
2019056781.tif 000006